(57)【特許請求の範囲】
【請求項１】
透明樹脂体からなり、入射面及び射出面の両面を備えた回折格子部材であって、
前記両面のうち一方の面には、入射光である直線偏光の偏光方向と略同一方向に形成され、入射光を３方向に分ける光分割用の回折格子が形成されると共に、
前記両面のうち他方の面には、格子周期が入射される光の波長より小さく、かつ格子方向が前記光分割用の回折格子の方向と略直行する反射防止用の回折格子が形成されていることを特徴とする回折格子部材。
【請求項２】
前記光分割用の回折格子が形成された面には、格子周期が入射される光の波長より小さい反射防止用の回折格子が重ねて形成されていることを特徴とする請求項１に記載の回折格子部材。
【請求項３】
周囲に光軸を軸とする回転方向の位置調整治具の係合凹部が形成されていることを特徴とする請求項１又は請求項２に記載の回折格子部材。
【発明の詳細な説明】
【０００１】
【発明の属する技術分野】
本発明は、透明樹脂体からなり、入射面及び射出面の両面を備えた回折格子部材に係り、特に入射光を３方向に分ける光分割用の回折格子を備えた回折格子部材関する。
【０００２】
【従来の技術】
従来、ＣＤ装置等の信号読み取り用の光ヘッド装置にあっては、信号の読み取りを行なうため光ヘッド装置のトラッキング制御を行なっている。このような光ヘッド装置では、レーザダイオードから出力されたレーザ光を３つの光、即ち１本の主ビームと２本のサブビームとに分割し、主ビームでディスクに記録された情報を読み取ると共に、２本のサブビームでヘッドの位置検出しヘッド装置の位置アクチュエータで駆動するサーボ制御するものとしている。
【０００３】
上述した回折格子部材は、レーザ光を３つのビームに分割するために用いられており、極めて高い光透過率が求められている。
【０００４】
【発明が解決しようとする課題】
ところで、上述した回折格子部材に在っては、透明な光学樹脂の光入射面又は光射出面に光分割用の回折格子を成型形成することが一般的である。しかし、このような回折格子部材の表面に何も反射防止処理を行なわないとすると、レーザ光がこの回折格子部材に入射し射出するときに、その境界面で反射が起こり、レーザ光のエネルギーが損失してしまう。
【０００５】
反射防止処理としては、回折格子部材の表面に多層の反射防止膜を形成することが一般的である。しかし、光学樹脂に反射防止膜を形成するためには、低温で密着性の高い誘電体多層膜を蒸着しなければならず、有効に反射防止を行なうためには反射防止膜の屈折率、膜厚を厳密にコントロールしなければならない。そのため、部品が大巾にコストアップとなってしまう。
【０００６】
このような反射防止膜に変わる反射防止処理として、光学素子の入射出面に格子間隔が入射光の波長より小さい特定条件とした反射防止回折格子を設け、反射防止を図ったものがある。
【０００７】
このような反射防止回折格子によれば、入射光の回折光は生じず、表面で屈折率が徐々に下がるのと同じ効果となり、光学素子の反射防止が図れる。
【０００８】
しかしながら、この提案は特定の光学素子、特に本願が対象とするような回折格子部材を対象として検討されたものではなく、反射防止回折格子を本願のような入射光を３方向に分ける光分割用の回折格子を備えた回折格子部材に適用する場合については充分な検討はなされていない。
【０００９】
そこで、本発明は、入射光である直線偏光の偏光方向と略同一方向に形成され入射光を３方向に分ける光分割用の回折格子を備えた回折格子部材の光の透過率を最大にすることを目的とする。
【００１０】
【課題を解決するための手段】
本発明は、光の透過率が光の偏光方向と反射防止回折格子の方向に関係しており、光の透過率が反射防止回折格子の向きが光の偏光方向と直行するとき最大となるという新たな知見に基づいて成されたものである。
【００１１】
本発明に係る回折格子部材は、透明樹脂体からなり、入射面及び射出面の両面を備えた回折格子部材であって、前記両面のうち一方の面には、入射光である直線偏光の偏光方向と略同一方向に形成され、入射光を３方向に分ける光分割用の回折格子が形成されると共に、前記両面のうち他方の面には、格子周期が入射される光の波長より小さく、かつ格子方向が前記光分割用の回折格子の方向と略直行する反射防止用の回折格子が形成されていることを特徴とするものである。
【００１２】
本発明に係る回折格子部材は、反射防止用の回折格子はその格子周期が入射される光の波長より小さく、光分割用の回折格子に対して略直行する方向に設けられている。このため、入射される偏光の偏光方向は光分割用の回折格子と同一であるから、反射防止用の回折格子の方向は、入射される偏光の偏光方向に対して略直角となり、光の透過率を最大限とすることができる。
【００１３】
また、本発明に係る回折格子部材は、回折格子部材において光分割用の回折格子が形成された面には、格子周期が入射される光の波長より小さい反射防止用の回折格子が重ねて形成されていることを特徴とするものである。
【００１４】
前記回折格子部材によれば、光分割用の回折格子が形成された面にも反射防止用の回折格子が形成されているので、光が分割される側での反射も低減して透過率が向上する。
【００１５】
この場合、反射防止用の回折格子の向きは光分割用の回折格子の方向と任意の方向とすることができる。即ち、工作技術上光分割用の回折格子と垂直に形成することが困難である場合には、光分割用の回折格子と同じ方向に設けてもよい。この場合にも光の透過率を向上させることができる。
【００１６】
さらに、本発明に係る回折格子部材は、回折格子部材において周囲に光軸を軸とする回転方向の位置調整治具の係合凹部が形成されていることを特徴とするものである。
【００１７】
これにより、位置調整部材を係合凹部に取り付けることができ、回折格子部材の光軸方向の位置調整を正確且つ容易におこなうことができる。
【発明の実施の形態】
以下本発明に係る回折格子部材の実施の形態を図１乃至図４に基づいて説明する。本例に係る回折格子部材はＤＶＤ(Digital Versatile Disk)とＣＤ（Compact Disk）の再生を行なえる光ヘッド装置に使用されるものである。
【００１８】
本例に係る回折格子部材１０は、図１に示すように、屈折率ｎ＝１．５４の透明な光学樹脂で形成した円盤状の部材１１の中央部に回折格子部１２を形成したものである。そしてその周囲は枠部１３として形成し、その一部に切り欠き部１４を設け、光軸を軸とする回転方向の位置調整治具の係合凹部としている。この切り欠き部１４の形状は使用する工具により適宜変更することができる。
【００１９】
回折格子部材１０は、光学樹脂を型で熱プレス成型して形成したものであり、図１(２)及び図２に示すように、その射出面１５には入射光である直線偏光の偏光方向（Ｓ偏光）と略同一方向に形成され、入射光を３方向に分ける光分割用の回折格子２０が形成される。この回折格子２０の凸部２１及び凹部２２の幅寸法及び深さ寸法は、使用する光ヘッド装置の仕様により適宜選択される。
【００２０】
この例では回折格子部材は、ＤＶＤとＣＤの再生を行なえるものであり、ＤＶＤの再生に使用する波長λ１（０．６５８μｍ）、及びＣＤの再生に使用する波長λ２（０．７８５μｍ）の波長の直線偏光である入射光に対応している。なお両光は同一方向に偏光されている。そして、本例では、図４に示すように波長λ１の光はそのまま透過させ、波長λ２の光は0次透過光、±1次回折光の３方向に分割して射出するように構成されている。
【００２１】
このため、本例では回折格子２０は矩形の凹凸を備えた回折格子とし、格子の深さｄが、回折格子部材の屈折率をｎとしたとき、
ｄ（ｎ−１）＝λ１
を満たすように構成される。
【００２２】
この条件により、波長λ１の入射光は図４に示すように分割されることなく透過し、波長λ２の光は０次透過光（主ビーム）と±１次回折光（サブビーム）に分割される。
【００２３】
なお、格子の周期Ｐは、分割される波長λ２の光をどの方向に分割するか等の条件により適宜定められる。この実施例では格子深さｄを約１．２μｍ、ピッチＰを約３０μｍとしている。
【００２４】
また、本例では入射面１６には、格子周期（ｐ）が入射される光の波長より小さく、かつ格子方向が前記光分割用の回折格子２０の方向と略直行する方向に反射防止用の回折格子３０が形成されている。
【００２５】
この反射防止用の回折格子３０は、図３（２）に示すように、周期ｐが０．６λ１以下である０．３５μmであり、その稜及び谷の角度θを約４０°とした格子３１が並列するものとして形成されている。この回折格子３０も型で熱プレス成型して形成されたものである。
【００２６】
また、本例では、図２に示すように、光分割用の回折格子２０の凸部２１表面及び凹部２２底面にも反射防止用の回折格子２５が形成されている。この例では反射防止用の回折格子２５の構成は上述した入射面１６に形成した反射防止用の回折格子３０と同一であり、その格子方向は、型製造の容易性に鑑み、光分割用の回折格子２０と同一としている。なお、反射防止用の回折格子の格子方向を射出面に形成した回折格子３０と同様に、光分割用の回折格子２０と直交する方向にすることもできる。
【００２７】
なお上記例では、透明体として光学樹脂を使用したものを例として説明したが、透明体の材料は光学ガラスであっても良い。
【００２８】
【実施例】
次に本発明に係る回折格子部材の反射防止用の回折格子と入射光の反射と関係を実施例に基づいて詳細に説明する。以下の説明では、反射防止用の回折格子に着目して説明しているため、反射防止回折格子の格子方向の偏光をＳ偏光、格子方向に直行する偏光をP偏光として説明している。上述した回折格子部材１０は光分割用の回折格子２０と反射防止用の回折格子３０とは直交関係にあるため、上記回折格子２０の説明中のＳ偏光は以下の説明ではＰ偏光に相当し、Ｐ偏光はＳ偏光に相当することになる。
【００２９】
これらの実施例は、回折格子成型用の型材を先端角４０°のバイトを使用して一定間隔（周期）で複数の溝部を平行に多数切削形成し回折格子の型枠を作り、この型枠で屈折率１．５４の光学樹脂を成型して回折格子を作製したものとして、回折格子と同方向の偏光（Ｓ偏光）と垂直方向の偏光（Ｐ偏光）の光の各波長での透過率を計算したものである。なお、屈折率ｎ＝１．５４の物質において、反射防止処理を行なわなかった場合の透過率は９５〜９６％程度となる。
【００３０】
〔実施例１〕
型枠作製条件は、バイト先端半径：Ｒ＝０．０５μｍ、切削周期（間隔）：ｐ＝０．３μｍである。この結果を図５に示す。図５においては、縦軸には光の透過率（％）を横軸には光の波長（μｍ）を示している。
【００３１】
図５に示すように、０．５μｍ以上で、Ｐ偏光の透過率がＳ偏光の透過率より良好なことが分かる。また、ＣＤの光ヘッド装置に使用する波長０．７８５μｍのＰ偏光の透過率は９９．７％以上となり大きな反射防止効果を得ることができることが分かる。また、ＤＶＤに使用する０．６５８μｍのＳ偏光（上記実施例の入射側の反射防止回折格子に相当）の透過率も９８．８％以上となり反射防止効果を得ることができることが分かる。
【００３２】
〔実施例２〕
型枠作製条件は、バイト先端半径：Ｒ＝０．０５μｍ、切削周期：ｐ＝０．３５μｍである。この結果を図６に示す。
【００３３】
図６に示すように、０．６μｍ以上で、Ｐ偏光の透過率がＳ偏光の透過率より良好なことが分かる。また、波長０．７８５μｍのときＰ偏光の透過率は９９．５％以上となり大きな反射防止効果を得ることができることが分かる。また０．６５８μｍのＳ偏光の透過率も９９．１％以上となり反射防止効果を得ることができることが分かる。
【００３４】
〔実施例３〕
型枠作製条件は、バイト先端半径：Ｒ＝０．１μｍ、切削周期：ｐ＝０．３μｍである。この結果を図７に示す。
【００３５】
図７に示すように、０．５μｍ以上で、Ｐ偏光の透過率がＳ偏光の透過率より良好なことが分かる。また、波長０．７８５μｍのときＰ偏光の透過率は９９．５％以上となり大きな反射防止効果を得ることができることが分かる。また０．６５８μｍのＳ偏光も透過率も９８．０％以上となり反射防止効果を得ることができることが分かる。大きな透過率を得ることができることが分かる。
【００３６】
〔実施例４〕
型枠作製条件は、バイト先端半径：Ｒ＝０．１μｍ、切削周期：ｐ＝０．３５μｍである。この結果を図８に示す。。
【００３７】
図８に示すように、０．５５μｍ以上で、Ｐ偏光の透過率がＳ偏光の透過率より良好なことが分かる。また、波長０．７８５μｍのときＰ偏光の透過率は９９．５％以上となり大きな反射防止効果を得ることができることが分かる。また０．６５８μｍのＳ偏光も透過率も９７．７％以上となり反射防止効果を得ることができることが分かる。大きな透過率を得ることができることが分かる。
【００３８】
以上のように、反射防止用回折格子を設けることにより、Ｐ偏光に対して、極めて高い透過率を得ることができることが分かる。
また、S偏光に対してもＰ偏光ほどではないが、高い透過率を得ることができることが分かる。
【００３９】
【発明の効果】
以上、説明したように本発明に係る回折格子部材によれば、入射光である直線偏光の偏光方向と略同一方向に形成され、入射光を３方向に分ける光分割用の回折格子を備えた回折格子部材の光の透過率を、高いものとすることができるという優れた効果を奏する。
【００４０】
即ち、本発明によれば、反射防止用の回折格子はその格子周期が入射される光の波長より小さく、光分割用の回折格子に対して略直行する方向に設けられている。入射される偏光の偏光方向は光分割用の回折格子と同一であるから、反射防止用の回折格子の方向は、入射される偏光の偏光方向に対して略直角となり、光の透過率を最大限とすることができる。
【００４１】
また、本発明によれば、光分割用の回折格子が形成された面にも反射防止用の回折格子が形成されているので、光が分割される側での反射も低減して透過率を向上させることができる。
【００４２】
さらに、本発明によれば、回折格子部材の光軸方向の位置調整を位置調整部材を係合凹部に取り付けることができ正確且つ容易に行なうことができる。
【図面の簡単な説明】
【図１】本発明に係る回折格子部材を示す図であり（１）は正面図、（２）は左側面図、（３）は右側面図である。
【図２】本発明に係る回折格子部材の光分割用の回折格子の構成を示す図１中のII-II線に相当する拡大断面図である。
【図３】本発明に係る回折格子部材の反射防止用の回折格子の構成を示す図であり、（１）は図１中のIII-III線に相当する拡大断面図、（２）は（１）中の円部iiに相当する拡大図である。
【図４】本発明に係る回折格子部材における光の分割状態を示す模式図である。
【図５】本発明の第１の実施例の入射光の波長と透過率の関係を示すグラフである。
【図６】本発明の第２の実施例の入射光の波長と透過率の関係を示すグラフである
【図７】本発明の第３の実施例の入射光の波長と透過率の関係を示すグラフである
【図８】本発明の第４の実施例の入射光の波長と透過率の関係を示すグラフである
【符号の説明】
１０  回折格子部材
１１  部材
１２  回折格子部
１３  枠部
１４  部
１５  射出面
１６  入射面
２０  回折格子
２１  凸部
２２  凹部
２５  回折格子
３０  回折格子
３１  格子
【図１】
0003835997.tif 000002
【図２】
0003835997.tif 000003
【図３】
0003835997.tif 000004
【図４】
0003835997.tif 000005
【図５】
0003835997.tif 000006
【図６】
0003835997.tif 000007
【図７】
0003835997.tif 000008
【図８】
0003835997.tif 000009